(57)【特許請求の範囲】
【請求項１】
作業者が把持して操作する１軸の絶縁操作棒と、この絶縁操作棒の先端に着脱可能に取り付けた先端工具部と、を有するテープ巻き付け工具であって、
前記先端工具部は、テープ支持軸と、このテープ支持軸の外周側に嵌合固定されたロール状の絶縁テープと、前記ロール状の絶縁テープから引き出された帯状の絶縁テープが巻き付けられる被覆対象物と、が収容されるテープ操作空間を有し、
前記テープ操作空間は、前記先端工具部の一部を構成する一対の支持アーム間に形成されたテープ収容空間と、前記支持アームの内側に形成された内部空間と、を有し、
前記一対の支持アームの間隔が前記ロール状の絶縁テープのテープ幅よりも大きく、前記内部空間の周面が前記テープ支持軸を前記被覆対象物の周りに移動させる際のガイド面となるように形成され、
前記一対の支持アームは、先端側が上下に離間して位置し、前記内部空間と外部とを連通する開口部分を形作り、前記被覆対象物が前記開口部分を介して前記テープ操作空間に出し入れされるようになっており、
前記テープ支持軸及びこのテープ支持軸の外周側に嵌合固定された前記ロール状の絶縁テープは、前記ロール状の絶縁テープのテープ幅方向の両側に突出する前記テープ支持軸が前記一対の支持アームの前記周面で支持され、前記ロール状の絶縁テープが前記テープ収容空間に収容され、前記ロール状の絶縁テープから引き出された帯状の絶縁テープが前記開口部分の下端縁に沿って形成されたテープ台座上に粘着面を上にして乗せられ、前記テープ台座上の前記帯状の絶縁テープの粘着面が前記被覆対象物に押し付けられることにより、前記帯状の絶縁テープの一部が前記被覆対象物に貼り付けられ、前記被覆対象物に貼り付けられた前記帯状の絶縁テープが前記被覆対象物と共に前記開口部分から前記テープ操作空間内に収容されるようになっており、
前記絶縁操作棒が作業者によって操作されて、前記先端工具部が前記被覆対象物に対して動かされ、前記テープ操作空間に収容された前記テープ支持軸及び前記ロール状の絶縁テープが前記周面に沿って慣性で移動させられるか又は自重によって落下させられることにより、前記テープ支持軸及び前記ロール状の絶縁テープが前記テープ操作空間内に収容された前記被覆対象物で且つ前記絶縁テープの一部が貼り付けられた前記被覆対象物の周りを移動し、前記ロール状の絶縁テープから引き出された前記帯状の絶縁テープが前記被覆対象物に巻き付けられる、
ことを特徴とするテープ巻き付け工具。
【請求項２】
前記内部空間の前記周面は、前記テープ支持軸の外周面に係合する複数の凹曲面が等間隔で配置されてなる、
ことを特徴とする請求項１に記載のテープ巻き付け工具。
【請求項３】
前記内部空間の前記周面には、前記テープ支持軸の外周面に形成された凸凹部に係合する凹凸部が形成され、
前記テープ支持軸を前記被覆対象物で前記周面に押し付けることにより、前記テープ支持軸を前記周面の任意の位置に保持することができるようになっている、
ことを特徴とする請求項１に記載のテープ巻き付け工具。
【請求項４】
前記内部空間の前記周面の前記テープ支持軸に当接する箇所にはゴムの被膜が形成された、
ことを特徴とする請求項１に記載のテープ巻き付け工具。
【発明の詳細な説明】
【技術分野】
【０００１】
この発明は、間接活線作業において、架空電線の露出した心線（導体）や、架空電線の接続部に被せられるスリーブカバー等の被覆対象物の外周にテープを巻き付ける際に用いられるテープ巻き付け工具に関するものである。
【背景技術】
【０００２】
従来から、架空電線（以下電線という）の絶縁被覆物の劣化や損傷により、電線の心線（導体）が露出した場合、その露出部分に粘着性ポリエチレンテープ等の絶縁テープを巻き付けて絶縁被覆している。また、電線の接続部に被せられるスリーブカバーが電線に対してずれ動かないようにするため、スリープカバーと電線の外周に絶縁テープを巻き付けて、スリーブカバーと電線とを固定している。
【０００３】
図６は、このような絶縁テープの巻き付け作業（間接活線作業）において使用されるテープ巻き付け工具１００を示している。この図６に示すテープ巻き付け工具１００は、先端工具部１０１と二軸回転操作棒（絶縁棒）１０２とで構成されている。このテープ巻き付け工具１００の先端工具部１０１は、図示しない電線を固定すると共にその電線の外周に絶縁テープを巻き付けるために設けられている。また、二軸回転操作棒１０２は、先端工具部１０１を所定の位置で固定するための固定軸１０３、及びハンドル１０４での回転操作を先端工具部１０１に伝動するための回転駆動伝達機構を構成する回転軸１０５の２軸を有している。
【０００４】
このようなテープ巻き付け工具１００は、先端工具部１０１に設けられたＵ字状開口部１０６に電線を入れ、ハンドル１０４を回転操作することで、ロール状の絶縁テープ１０７を矢印Ｒ１方向に回動可能に支持している回転部材１０８が電線の外周に沿って矢印Ｒ２方向へ回転し、電線の外周に絶縁テープ１０７を巻き付けるようになっている（特許文献１参照）。
【先行技術文献】
【特許文献】
【０００５】
【特許文献１】特開２００８−１７６００号公報
【発明の概要】
【発明が解決しようとする課題】
【０００６】
しかしながら、図６に示した従来のテープ巻き付け工具１００は、先端工具部１０１が複雑な回動機構を備え、二軸回転操作棒１０２が固定軸１０３と回転軸１０５の２軸で構成されているため、間接活線作業に広く使用される絶縁ヤットコと比較して非常に重くなっている。しかも、作業者は、一方の片手で二軸回転操作棒１０２を把持して、非常に重いテープ巻き付け工具１００の重量を一方の片手で支持し、他方の片手でハンドル１０４を回転操作しなければならなかった。
【０００７】
その結果、図６に示した従来のテープ巻き付け工具１００を使用したテープ巻き付け作業は、作業者の疲労が大きいという問題を有していた。また、図６に示した従来のテープ巻き付け工具１００を使用したテープ巻き付け作業は、テープ巻き付け工具１００の先端側（先端工具部１０１側）が重く、作業者が片手でテープ巻き付け工具１００の姿勢を保持するのが大変であるため、テープ巻きがうまくできないことがあった。
そこで、本発明は、被覆対象物（例えば、電線）へのテープ巻き付け作業に対する作業者の労力を軽減でき、被覆対象物へのテープ巻き付けを容易且つ確実にできるテープ巻き付け工具の提供を目的とする。
【課題を解決するための手段】
【０００８】
本発明は、作業者が把持して操作する１軸の絶縁操作棒３と、この絶縁操作棒３の先端に着脱可能に取り付けた先端工具部２と、を有するテープ巻き付け工具１に関するものである（図１乃至図５参照）。この発明において、前記先端工具部２は、テープ支持軸１１と、このテープ支持軸１１の外周側に嵌合固定されたロール状の絶縁テープ１２と、前記ロール状の絶縁テープ１２から引き出された帯状の絶縁テープ１３が巻き付けられる被覆対象物１４と、が収容されるテープ操作空間７を有している。また、前記テープ操作空間７は、前記先端工具部２の一部を構成する一対の支持アーム６，６間に形成されたテープ収容空間８と、前記支持アーム６の内側に形成された内部空間１０と、を有している。そして、前記一対の支持アーム６，６の間隔が前記ロール状の絶縁テープ１２のテープ幅よりも大きく、前記内部空間１０の周面１６（２０）が前記テープ支持軸１１を前記被覆対象物１４の周りに移動させる際のガイド面となるように形成されている。また、前記一対の支持アーム６，６は、先端側が上下に離間して位置し、前記内部空間１０と外部とを連通する開口部分１５を形作り、前記被覆対象物１４が前記開口部分１５を介して前記テープ操作空間７に出し入れされるようになっている。また、前記テープ支持軸１１及びこのテープ支持軸１１の外周側に嵌合固定された前記ロール状の絶縁テープ１２は、前記ロール状の絶縁テープ１２のテープ幅方向の両側に突出する前記テープ支持軸１１が前記一対の支持アーム６，６の前記周面１６，１６（２０，２０）で支持され、前記ロール状の絶縁テープ１２が前記テープ収容空間８に収容され、前記ロール状の絶縁テープ１２から引き出された帯状の絶縁テープ１３が前記開口部分１５の下端縁に沿って形成されたテープ台座１７上に粘着面を上にして乗せられ、前記テープ台座１７上の前記帯状の絶縁テープ１３の粘着面が前記被覆対象物１４に押し付けられることにより、前記帯状の絶縁テープ１３の一部が前記被覆対象物１４に貼り付けられ、前記被覆対象物１４に貼り付けられた前記帯状の絶縁テープ１３が前記被覆対象物１４と共に前記開口部分１５から前記テープ操作空間７内に収容されるようになっている。そして、前記絶縁操作棒３が作業者によって操作されて、前記先端工具部２が前記被覆対象物１４に対して動かされ、前記テープ操作空間７に収容された前記テープ支持軸１１及び前記ロール状の絶縁テープ１２が前記周面１６（２０）に沿って慣性で移動させられるか又は自重によって落下させられることにより、前記テープ支持軸１１及び前記ロール状の絶縁テープ１２が前記テープ操作空間７内に収容された前記被覆対象物１４で且つ前記帯状の絶縁テープ１３の一部が貼り付けられた前記被覆対象物１４の周りを移動し、前記ロール状の絶縁テープ１２から引き出された前記帯状の絶縁テープ１３が前記被覆対象物１４に巻き付けられる。
【発明の効果】
【０００９】
本発明のテープ巻き付け工具によれば、絶縁操作棒が１軸であり、先端工具部の構造が簡単であるため、従来例に比較して全体重量を軽くすることができ、作業者の作業労力を軽減できる。
【００１０】
また、本発明のテープ巻き付け工具によれば、従来例のテープ巻き付け工具よりも軽量であり、作業者が被覆対象物に対する先端工具部及びロール状の絶縁テープの姿勢を正確に保持し易く、且つ、作業者が１軸の絶縁操作棒を把持して操作するだけで、テープ支持軸及びロール状の絶縁テープを被覆対象物の周りに回動させ、ロール状の絶縁テープから引き出された帯状の絶縁テープを被覆対象物に巻き付けることができるため、テープ巻き付け作業を容易且つ確実に行うことができる。
【図面の簡単な説明】
【００１１】
【図１】本発明の実施の形態に係るテープ巻き付け工具の先端工具部を示す図であり、図１（ａ）が先端工具部の正面図、図１（ｂ）が先端工具部の側面図、図１（ｃ）が先端工具部の一部を示す平面図である。
【図２】本発明の実施の形態に係るテープ巻き付け工具の絶縁操作棒を示す図であり、図１の先端工具部が取り付けられる絶縁操作棒を示す図である。
【図３】図３（ａ）がロール状の絶縁テープとテープ支持棒の組付状態を示す正面図であり、図３（ｂ）がロール状の絶縁テープとテープ支持棒の組付状態を示す側面図である。
【図４】本発明の実施の形態に係るテープ巻き付け工具を使用したテープ巻き付け作業の作業順序を示す図である。
【図５】図５（ａ）は、本発明の変形例に係るテープ巻き付け工具の先端工具部の正面図である。図５（ｂ）は、図５（ａ）のＡ部拡大図であり、先端工具部の第１の変形例を示す図である。図５（ｃ）は、図５（ａ）のＡ部拡大図であり、先端工具部の第２の変形例を示す図である。
【図６】従来のテープ巻き付け工具を示す図である。
【発明を実施するための形態】
【００１２】
以下、本発明の実施の形態を図面に基づき詳述する。
図１及び図２は、本発明の実施の形態に係るテープ巻き付け工具１を示す図である。なお、図１は、テープ巻き付け工具を構成する先端工具部を示す図である。また、図２は、テープ巻き付け工具を構成する絶縁操作棒を示す図である。
【００１３】
これらの図に示すように、テープ巻き付け工具１は、先端工具部２と絶縁操作棒３とを備えており、先端工具部２の基端側に形成された取付操作アダプタ部４が絶縁操作棒３の係合頭部５に着脱可能に取り付けられるようになっている。
【００１４】
先端工具部２は、取付操作アダプタ部４と、この取付操作アダプタ部４の上部側に二股状に分岐するように形成された一対の支持アーム６，６と、テープ操作空間７と、を有している。テープ操作空間７は、一対の支持アーム６，６間に形成されたテープ収容空間８と、支持アーム６の内側に形成された内部空間１０と、からなっている。そして、このテープ操作空間７は、テープ支持軸１１と、このテープ支持軸１１の外周側に嵌合固定されたロール状の絶縁テープ１２と、ロール状の絶縁テープ１２から引き出された帯状の絶縁テープ１３が巻き付けられる被覆対象物（例えば、電線）１４と、が収容されるようになっている（図３、図４（ｃ）参照）。
【００１５】
一対の支持アーム６，６は、一方の支持アーム６と他方の支持アーム６とが対向するように位置し、一方の支持アーム６と他方の支持アーム６との間隔がロール状の絶縁テープ１２のテープ幅よりも広くなっており、テープ収容空間８内に収容されたロール状の絶縁テープ１２の側面との間に隙間が生じるようになっている（図１（ｂ）参照）。また、テープ収容空間８内に収容されたロール状の絶縁テープ１２は、テープ支持軸１１に沿った方向へのずれ動きが一対の支持アーム６，６によって制限され、被覆対象物１４に対する姿勢が一対の支持アーム６，６によって保持される。
【００１６】
また、一対の支持アーム６，６は、正面側の形状が略Ｃ字形状になっており（図１（ａ）参照）、先端側が上下に離間して位置し、内部空間１０と外部とを連通する開口部分１５を形作っている。この支持アーム６の開口部分１５は、テープ支持軸１１及び被覆対象物１４が円滑に通過でき、テープ支持軸１１及び被覆対象物１４を内部空間１０に円滑に出し入れできるようになっている。なお、本実施形態においては、図１（ａ）に示すように、開口部分１５の上下方向の寸法Ｈ１がロール状の絶縁テープ１２の外径寸法よりも大きくなるように決定されている。
【００１７】
また、一対の支持アーム６，６の内部空間１０の周面１６は、ロール状の絶縁テープ１２の両側に出っ張るテープ支持軸１１を内部空間１０に収容した被覆対象物１４の周りに移動させる際のガイド面となるように形成されている。この内部空間１０の周面１６は、支持アーム６の中心に被覆対象物１４を配置し、その被覆対象物１４の外周面にロール状の絶縁テープ１２の外周面を当接させた状態で、ロール状の絶縁テープ１２を被覆対象物１４の周囲に公転させたと仮定した場合に、ロール状の絶縁テープ１２の中心部に嵌合固定されたテープ支持軸１１の外周面に係合するように形成された複数の凹曲面１６ａによって形作られている。なお、本実施形態においては、図１（ａ）に示すように、第１乃至第７までの７個の凹曲面１６ａが支持アーム６の中心の周囲に等間隔で形成されている。なお、図１（ａ）において、テープ支持軸１１及びロール状の絶縁テープ１２は、凹曲面１６ａに対応するように二点鎖線で示しある。
【００１８】
また、一対の支持アーム６，６は、開口部分１５の下端縁に沿って図１（ａ）の右側方へ張り出すように形成されたテープ台座１７で接続されている。このテープ台座１７は、第１の凹曲面１６ａにテープ支持軸１１を介して支持されたロール状の絶縁テープ１２から引き出された帯状の絶縁テープ１３が粘着面を上にして乗せられるようになっている（図４（ａ）参照）。
【００１９】
図３は、先端工具部２のテープ操作空間７に収容されるテープ支持軸１１、及びこのテープ支持軸１１の外周側に嵌合固定されたロール状の絶縁テープ１２を示す図である。テープ支持軸１１は、プラスチック又は金属で形成された中空軸である。また、ロール状の絶縁テープ１２は、円筒状の芯材１８の外周側に帯状の絶縁テープ１３が巻き付けられたものであり（図４（ａ）参照）、中心部に位置する芯材１８がテープ支持軸１１の外周側に嵌合固定されている。なお、テープ支持軸１１は、プラスチック又は金属で形成された中実棒でもよい。
【００２０】
図３に示したテープ支持軸１１及びこのテープ支持軸１１に嵌合固定されたロール状の絶縁テープ１２は、ロール状の絶縁テープ１２の両側に突出するテープ支持軸１１が一対の支持アーム６，６の凹曲面１６ａ（周面１６）で支持され、ロール状の絶縁テープ１２が一対の支持アーム６，６間のテープ収容空間８に収容され、ロール状の絶縁テープ１２から引き出された帯状の絶縁テープ１３が粘着面を上にしてテープ台座１７上に乗せられ、このテープ台座１７上に乗せられた帯状の絶縁テープ１３の粘着面が被覆対象物１４に押し付けられることにより、帯状の絶縁テープ１３の一部が被覆対象物１４に貼り付けられ、被覆対象物１４に貼り付けられた帯状の絶縁テープ１３が被覆対象物１４と共に開口部分１５からテープ操作空間７内に収容される（図４（ａ）〜（ｃ）参照）。
【００２１】
図４は、テープ巻き付け工具１を使用したテープ巻き付け作業の作業順序を示す図である。
先ず、図４（ａ）に示すように、テープ支持軸１１及びこのテープ支持軸１１に嵌合固定されたロール状の絶縁テープ１２を先端工具部２のテープ操作空間７内に収容し、テープ支持軸１１を第１の凹曲面１６ａで支持させた状態で、ロール状の絶縁テープ１２から帯状の絶縁テープ１３を引き出して、その帯状の絶縁テープ１３を粘着面が上を向くようにテープ台座１７上に乗せる。そして、テープ巻き付け工具１が作業者によって操作され、テープ台座１７上に乗せた帯状の絶縁テープ１３の粘着面が被覆対象物１４に押し付けられると、被覆対象物１４に帯状の絶縁テープ１３の一部が貼り付けられる。なお、被覆対象物（例えば、電線）１４は、図外の間接活線工具によって直線状に引っ張られた状態になっている。
【００２２】
次に、図４（ｂ）に示すように、作業者がテープ巻き付け工具１を操作することにより、テープ支持軸１１及びロール状の絶縁テープ１２の慣性とテープ支持軸１１及びロール状の絶縁テープ１２の自重による自由落下運動を利用して、テープ支持軸１１及びロール状の絶縁テープ１２と先端工具部２とを相対移動させ、テープ支持軸１１を第１の凹曲面１６ａから第２の凹曲面１６ａへ移動させて、テープ支持軸１１を第２の凹曲面１６ａで支持する。
【００２３】
次に、図４（ｃ）に示すように、作業者がテープ巻き付け工具１を操作することにより、テープ支持軸１１及びロール状の絶縁テープ１２の慣性とテープ支持軸１１及びロール状の絶縁テープ１２の自重による自由落下運動を利用して、テープ支持軸１１及びロール状の絶縁テープ１２と先端工具部２とを相対移動させ、テープ支持軸１１を第２の凹曲面１６ａから第３の凹曲面１６ａへ移動させて、テープ支持軸１１を第３の凹曲面１６ａで支持する。
【００２４】
次に、図４（ｄ）に示すように、作業者がテープ巻き付け工具１を操作することにより、テープ支持軸１１及びロール状の絶縁テープ１２の慣性とテープ支持軸１１及びロール状の絶縁テープ１２の自重による自由落下運動を利用して、テープ支持軸１１及びロール状の絶縁テープ１２と先端工具部２とを相対移動させ、テープ支持軸１１を第３の凹曲面１６ａから第４の凹曲面１６ａへ移動させて、テープ支持軸１１を第４の凹曲面１６ａで支持すると共に、ロール状の絶縁テープ１２の外周面を被覆対象物１４の左側に押し付けるようにして、テープ支持軸１１が第４の凹曲面１６ａから脱落するのを防止する。
【００２５】
次に、図４（ｅ）に示すように、作業者がテープ巻き付け工具１を操作することにより、テープ支持軸１１及びロール状の絶縁テープ１２の慣性とテープ支持軸１１及びロール状の絶縁テープ１２の自重による自由落下運動を利用して、テープ支持軸１１及びロール状の絶縁テープ１２と先端工具部２とを相対移動させ、テープ支持軸１１を第４の凹曲面１６ａから第５の凹曲面１６ａへ移動させて、テープ支持軸１１を第５の凹曲面１６ａで支持すると共に、ロール状の絶縁テープ１２の外周面を被覆対象物１４の左斜め上部に押し付けるようにして、テープ支持軸１１が第５の凹曲面１６ａから脱落するのを防止する。
【００２６】
次に、図４（ｆ）に示すように、作業者がテープ巻き付け工具１を操作することにより、テープ支持軸１１及びロール状の絶縁テープ１２の慣性とテープ支持軸１１及びロール状の絶縁テープ１２の自重による自由落下運動を利用して、テープ支持軸１１及びロール状の絶縁テープ１２と先端工具部２とを相対移動させ、テープ支持軸１１を第５の凹曲面１６ａから第６の凹曲面１６ａへ移動させて、テープ支持軸１１を第６の凹曲面１６ａで支持すると共に、ロール状の絶縁テープ１２の外周面を被覆対象物１４の上部に押し付けるようにして、テープ支持軸１１が第６の凹曲面１６ａから脱落するのを防止する。
【００２７】
次に、図４（ｇ）に示すように、作業者がテープ巻き付け工具１を操作することにより、テープ支持軸１１及びロール状の絶縁テープ１２の慣性とテープ支持軸１１及びロール状の絶縁テープ１２の自重による自由落下運動を利用して、テープ支持軸１１及びロール状の絶縁テープ１２と先端工具部２とを相対移動させ、テープ支持軸１１を第６の凹曲面１６ａから第７の凹曲面１６ａへ移動させて、テープ支持軸１１を第７の凹曲面１６ａで支持すると共に、ロール状の絶縁テープ１２の外周面を被覆対象物１４の右斜め上部に押し付けるようにして、テープ支持軸１１が第７の凹曲面１６ａから脱落するのを防止する。
次に、図４（ｈ）に示すように、作業者がテープ巻き付け工具１を操作することにより、テープ支持軸１１が第７の凹曲面１６ａで支持された状態で、ロール状の絶縁テープ１２と被覆対象物１４の接触位置が図４（ｇ）の位置から時計回り方向へ移動するように、テープ支持軸１１及びロール状の絶縁テープ１２が被覆対象物１４の周りを時計回り方向へ移動させられる。
【００２８】
次に、図４（ｈ）の状態において、作業者がテープ巻き付け工具１を操作することにより、ロール状の絶縁テープ１２が被覆対象物１４から離間させられると、テープ支持軸１１及びロール状の絶縁テープ１２が自重によって自由落下し、テープ支持軸１１が第１の凹曲面１６ａで支持される（図４（ｉ）参照）。
【００２９】
次に、図４（ｊ）に示すように、作業者がテープ巻き付け工具１を操作することにより、ロール状の絶縁テープ１２の上部を被覆対象物１４の下部に接触させる。
このような、図４（ａ）〜（ｊ）までの一連の作業により、ロール状の絶縁テープ１２から引き出された帯状の絶縁テープ１３が被覆対象物１４に少なくとも１周分だけ巻き付けられる。なお、ロール状の絶縁テープ１２から引き出された帯状の絶縁テープ１３を被覆対象物１４に複数巻き分だけ巻き付ける場合は、作業者がテープ巻き付け工具１を操作することにより、テープ支持軸１１及びロール状の絶縁テープ１２の慣性及びテープ支持軸１１及びロール状の絶縁テープ１２の自重による自由落下運動を利用して、テープ支持軸１１及びロール状の絶縁テープ１２と先端工具部２とを相対移動させ、テープ支持軸１１及びロール状の絶縁テープ１２を被覆対象物１４の周りに複数回だけ回動（図４（ｂ）〜（ｇ）のように時計回り方向へ回動）させることになる。
【００３０】
以上のように、本実施形態のテープ巻き付け工具１は、テープ支持軸１１及びロール状の絶縁テープ１２の慣性とテープ支持軸１１及びロール状の絶縁テープ１２の自重による自由落下運動を利用し、テープ支持軸１１を一対の支持アーム６，６の周面１６（複数の凹曲面１６ａ）に沿って移動させることにより、テープ支持軸１１及びロール状の絶縁テープ１２を被覆対象物１４の周りに回動させることができ、ロール状の絶縁テープ１２から引き出された帯状の絶縁テープ１３を被覆対象物１４に巻き付けることができるため、先端工具部２の構造が簡単になり、先端工具部２を従来例よりも軽量化することができる。また、本実施形態のテープ巻き付け工具１は、先端工具部２を取り付ける絶縁操作棒３が１軸であり、従来例の二軸回転操作棒１０２と比較して軽量である。したがって、本実施形態のテープ巻き付け工具１は、従来例のテープ巻き付け工具１００と比較して、全体を軽量化することができ、作業者の作業労力を軽減できる。
【００３１】
また、本実施形態のテープ巻き付け工具１は、上述のように従来例のテープ巻き付け工具１００よりも軽量であり、作業者が被覆対象物１４に対する先端工具部２及びロール状の絶縁テープ１２の姿勢を正確に保持し易く、且つ、作業者が１軸の絶縁操作棒３を把持して操作するだけで、テープ支持軸１１及びロール状の絶縁テープ１２を被覆対象物１４の周りに回動させ、ロール状の絶縁テープ１２から引き出された帯状の絶縁テープ１３を被覆対象物１４に巻き付けることができるため、テープ巻き付け作業を容易且つ確実に行うことができる。
【００３２】
（変形例）
図５（ａ）は、テープ巻き付け工具１の変形例を示す図であり、図１（ａ）に対応する図である。
【００３３】
図５（ａ）に示すように、本変形例に係るテープ巻き付け工具１は、支持アーム６の周面２０が開口部分１５において切り欠かれた円筒面である。そして、この周面２０には、テープ支持軸１１の外周面２１に形成された凸凹部２２に凹凸係合される凹凸部２３が形成されている（図５（ｂ）参照）。このような変形例に係るテープ巻き付け工具１は、先端工具部２のテープ操作空間７内に収容されたロール状の絶縁テープ１２を被覆対象物１４に押し付け、テープ支持軸１１を周面２０に押し付けることにより、テープ支持軸１１及びロール状の絶縁テープ１２を周面２０の任意の位置に保持することができ、上記実施の形態に係るテープ巻き付け工具１と同様の効果を得ることができる。なお、凸凹部２２及び凹凸部２３は、微小突起又は微小凹みからなる粗面である。
【００３４】
また、図５（ａ）に示すテープ巻き付け工具１において、テープ支持軸１１の凸凹部２２及び周面２０の凹凸部２３を省略し、周面２０の全域にゴムの被膜２４を形成して（図５（ｃ）参照）、先端工具部２のテープ操作空間７内に収容されたロール状の絶縁テープ１２を被覆対象物１４に押し付け、テープ支持軸１１を周面２０に形成されたゴムの被膜２４に押し付けることにより、テープ支持軸１１及びロール状の絶縁テープ１２を周面２０の任意の位置に保持するようにしても、上記実施の形態に係るテープ巻き付け工具１と同様の効果を得ることができる。
【００３５】
なお、凹凸部２３は、周面２０のうちのテープ支持軸１１を当接させる部位であって、周面２０の周方向に沿って離れて位置する複数の部位に形成するようにしてもよい。
また、ゴムの被膜２４は、周面２０のうちのテープ支持軸１１を当接させる部位であって、周面２０の周方向に沿って離れて位置する複数の部位に形成するようにしてもよい。
また、凹凸部２３又はゴムの被膜２４は、上記実施の形態に係るテープ巻き付け工具１の第１乃至第７の凹曲面１６ａに形成してもよい。
【符号の説明】
【００３６】
１……テープ巻き付け工具、２……先端工具部、３……絶縁操作棒、６……支持アーム、７……テープ操作空間、８……テープ収容空間、１０……内部空間、１１……テープ支持軸、１２……ロール状の絶縁テープ、１３……帯状の絶縁テープ、１４……被覆対象物（例えば、電線）、１５……開口部分、１６，２０……周面、１７……テープ台座
【要約】
【課題】被覆対象物（電線等）へのテープ巻き付け作業に対する作業者の労力を軽減でき、被覆対象物へのテープ巻き付けを容易且つ確実にできるテープ巻き付け工具を提供する。
【解決手段】絶縁操作棒３が作業者によって操作されて、先端工具部２が被覆対象物１４に対して動かされ、テープ操作空間７に収容されたテープ支持軸１１及びロール状の絶縁テープ１２が一対の支持アーム６，６の周面１６（第１乃至第７の凹曲面１６ａ）に沿って慣性で移動させられるか又は自重によって落下させられることにより、テープ支持軸１１及びロール状の絶縁テープ１２がテープ操作空間７内に収容された被覆対象物１４で且つ絶縁テープ１２の一部（帯状の絶縁テープ１３の一部）が貼り付けられた被覆対象物１４の周りを移動し、ロール状の絶縁テープ１２から引き出された帯状の絶縁テープ１３が被覆対象物１４に巻き付けられる。
【選択図】図４【図１】
0005450845.tif 000002
【図２】
0005450845.tif 000003
【図３】
0005450845.tif 000004
【図４】
0005450845.tif 000005
【図５】
0005450845.tif 000006
【図６】
0005450845.tif 000007